(57)【要約】【課題】  アナログ媒体であるアルバム本とディスク記録媒体を外装ケースに一緒に収容させることにより、アルバム本とデジタル媒体であるディスク記録媒体とのセット物とさせて、持ち運びや保管に便利にさせると共に、好みに応じてアルバム本とディスク記録媒体とを個別に見たり、再生したりすることができるようにした卒業記念品セットの提供。【解決手段】  少なくとも卒業生の個別顔写真及びクラス集合写真を掲載したアルバム本１と、少なくとも卒業生の学校活動を撮影した動画及び／又は静止画像を記録したディスク記録媒体（ＤＶＤディスク２）とが、外装ケース３に一緒に収容されている。【選択図】  図１
0003110779.tif 000002
【実用新案登録請求の範囲】
【請求項１】
少なくとも卒業生の個別顔写真及びクラス集合写真を掲載したアルバム本と、少なくとも卒業生の学校活動を撮影した動画及び／又は静止画像を記録したディスク記録媒体とが、外装ケースに一緒に収容されていることを特徴とする卒業記念品セット。
【請求項２】
前記ディスク記録媒体がディスクケース内に収容されて、前記アルバム本と一緒に外装ケースに収容されている請求項１記載の卒業記念品セット。
【考案の詳細な説明】
【技術分野】
【０００１】
本考案は、学校（小学校、中学校、高等学校、専門学校、大学等）において、卒業に際し、卒業生に渡す卒業記念品セットに関する。
なお、本考案で学校とは幼稚園や保育園を含むものとし、卒業には卒園を含むものとする。
又、ディスク記録媒体には、ＣＤ、ＭＯ、ＤＶＤ（ＨＤＤＶＤ、ブルーレイディスクを含む）等のデジタルディスクを含むものとする。
【背景技術】
【０００２】
従来、例えば、学校での卒業に際しては、卒業生の個別顔写真、クラス集合写真、学校活動写真等を掲載したアルバム本を渡すのが一般的である。
しかしながら、従来では、卒業生の個別顔写真、クラス集合写真、学校活動写真（授業写真、スクールイベント写真、クラブ活動写真）等の全てをアルバム本に掲載しているため、アルバム本のサイズ（大きさ、厚み）が大きくなってしまう。
これでは持ち運びや保管に不便であるし、見開きしにくいという問題があった。
【０００３】
昨今、ＤＶＤ等のディスク記録媒体に、画像、動画、音声等、多量の情報を記録することが可能になり、コンピュータ等の再生機器を操作することにより、記録された情報の再生（取り出し）が容易にできるようになった（特許文献１参照）。
【０００４】
そこで、卒業写真についても、ＤＶＤ等のディスク記録媒体に記録させることが考えられるが、このＤＶＤ等のディスク記録媒体は従来のアルバム本に比べて確かにコンパクトにはなるが、これを再生するには、必ずコンピュータ等の再生機器が必要であるという不便さがある。
【特許文献１】特開２００３−７２２９７号公報
【考案の開示】
【考案が解決しようとする課題】
【０００５】
卒業写真といえば、その主たる写真は、卒業生の個別顔写真及びクラス集合写真であると言えるもので、これらについては、手軽に取り出すことができ、取り出したらそのまま見開きできるようにするのが望まれる。
【０００６】
そこで、本考案では、卒業写真のうちの少なくとも卒業生の個別顔写真及びクラス集合写真については、アナログ媒体であって再生機器が不要なアルバム本に掲載することで、手軽に取り出せて、手軽に見開くことができるようにする。
又、多種多様で数多くの場面の記録が望まれる学校活動（授業、スクールイベント、クラブ活動等）については、これをデジタル媒体であって再生機器を用いて再生するＤＶＤ等のディスク記録媒体に動画や静止画像として掲載（記録）させることで、その掲載量を増大させることができるようにする。
【０００７】
そして、前記アルバム本とディスク記録媒体を外装ケースに一緒に収容させることによりアルバム本とディスク記録媒体とのセット物とさせて、持ち運びや保管に便利にさせると共に、好みに応じてアルバム本とディスク記録媒体とを個別に見たり、再生したりすることができるようにした卒業記念品セットを提供することを課題としている。
【課題を解決するための手段】
【０００８】
上記の課題を解決するために、本考案の卒業記念品セットは、
少なくとも卒業生の個別顔写真及びクラス集合写真を掲載したアルバム本と、少なくとも卒業生の学校活動を撮影した動画及び／又は静止画像を記録したディスク記録媒体とが、外装ケースに一緒に収容されている構成とした。
この場合、前記ディスク記録媒体がディスクケース内に収容されて、前記アルバム本と一緒に外装ケースに収容されている態様がある。
【考案の効果】
【０００９】
本考案の卒業記念品セットは、アナログ媒体であるアルバム本とデジタル媒体であるディスク記録媒体とを外装ケースに一緒に収容させたセット物であり、持ち運びや保管に便利である。
そして、卒業写真のうちの主たる写真といえる卒業生の個別顔写真及びクラス集合写真については、再生機器が不要なアルバム本に掲載したので、手軽に取り出すことができ、取り出したらそのまま見開くことができる。
【００１０】
また、数多くの場面の記録が望まれる学校活動（授業、スクールイベント、クラブ活動等）については、これをＤＶＤ等のディスク記録媒体に動画や静止画像として掲載（記録）させたので、その掲載量を増大させて、メモリアル商品としての価値を高めることができる。
また、ディスク記録媒体への掲載量を増大できる分、アルバム本への掲載量を減少させて、このアルバム本をコンパクトなサイズに形成でき、持ち運びや保管に便利であるし、見開き易くなる。
【考案を実施するための最良の形態】
【００１１】
図１は本考案の卒業記念品セットの実施例を示す分解斜視図である。
この卒業記念品セットは、アルバム本１と、ディスク記録媒体としてのＤＶＤディスク２と、外装ケース３とを備えている。
【００１２】
前記アルバム本１は、少なくとも卒業生の個別顔写真及びクラス集合写真を掲載したアナログ媒体である。
実施例では、卒業生の個別顔写真及びクラス集合写真の他に、校歌、先生等（理事長、校長、教諭、顧問等）の写真、部活員集合写真が掲載されている。
なお、このアルバム本１のサイズは、Ａ５サイズ（縦２１０ｍｍ、横１４８ｍｍ）、厚さ５ｍｍ、表紙を含めて全２０葉に形成されている。
【００１３】
前記ＤＶＤディスク２は、少なくとも卒業生の学校活動を撮影した動画及び／又は静止画像を記録したデジタル媒体である。
実施例では、学校活動を「クラスメイト」、「スクールイベント」、「クラブ活動」に区分したタイトル画像が目次として設けられている。
前記「クラスメイト」の内容として、卒業生のクラス毎授業風景を動画と音声で記録している。
「スクールイベント」の内容として、学習合宿風景、修学旅行風景、講習会風景、クラスマッチ風景、芸術鑑賞風景、講演会風景を動画と音声で記録している。
「クラブ活動」の内容として、各クラブの活動風景を動画と音声で記録している。
【００１４】
又、前記ＤＶＤディスク２は、ディスクケース２０内に収容されている。
このディスクケース２０は、ケース本体２１の一辺に蓋２２が設けられもので、ケース本体２１には、中央にディスク係止部２３が形成されたディスク保持トレー２４が形成されている。
なお、このディスクケース２０のサイズは、前記アルバム本１とほぼ同サイズに形成されるもので、実施例では、アルバム本１よりも若干小さ目（縦１９０ｍｍ、横１３５ｍｍ、厚さ９ｍｍ）に形成されている。
【００１５】
前記外装ケース３は、前記アルバム本１と、前記ＤＶＤディスク２を収容するためのディスクケース２０を一緒に収容するもので、ボックス本体３０の一辺に蓋３１が設けられた紙製ハードケースに形成されている。
この場合、前記ボックス本体３０の上辺底面及び下辺底面に段差部３２，３２を取り付け、この段差部３２，３２間にやや窮屈に保持させる状態で前記ディスクケース２０を収容させると共に、この上にアルバム本１を収容させるように形成されている。
【００１６】
なお、本考案は、実施例に限定されるものではなく、例えば、アルバム本に掲載する写真としては、少なくとも卒業生の個別顔写真及びクラス集合写真があればよく、その他の写真を掲載することは任意であるし、そのサイズもＡ５に限られない。
又、ディスク記録媒体としては、ＣＤ、ＭＯ、ＤＶＤ等のデジタルディスクを使用できるもので、少なくとも卒業生の学校活動を撮影した動画及び／又は静止画像を記録しておればよい。ただ、同時に音声（ＢＧＭや音楽を含む）を記録させるのがメモリアル商品としては効果的である。
【００１７】
また、外装ケースについては、その構造、形状、材質は任意であるし、この外装ケース自体にディスク記録媒体のディスク保持トレーを形成させてもよく、この場合には、ディスクケースを不要にできる。
【図面の簡単な説明】
【００１８】
【図１】本考案の卒業記念品セットの実施例を示す分解斜視図である。
【符号の説明】
【００１９】
１  アルバム本
２  ＤＶＤディスク
３  外装ケース
２０  ディスクケース
２１  ケース本体
２２  蓋
２３  ディスク係止部
２４  ディスク保持トレー
３０  ボックス本体
３１  蓋
３２  段差部
【図１】
0003110779.tif 000003